(57)【特許請求の範囲】
【請求項１】
−不透液性の後部カバー層（１）と、
−不織布材料から成る透液性の頂部カバー層（９）と、
−前記後部カバー層（１）と前記頂部カバー層（９）との間に挿入された吸収体（２）とを備えた身体からの流体を吸収するための吸収衛生製品、特に衛生ナプキン、おむつ、失禁ナプキン又は類似物において、
前記頂部カバー層（９）は前記吸収体（２）の区域において、製品の長手方向に延在する２又は２よりも多くの波形（１０）を備え、前記吸収体（２）に向けられた前記波形（１０）の脚区域（１６）が前記吸収体（２）、又はこの吸収体（２）と前記頂部カバー層（９）との間に挿入された支持層（７）に取り付けられ、前記波形（１０）の前記脚区域（１６）は前記吸収体（２）又は前記支持層（７）上に０．２ｍｍから１０ｍｍの幅（脚幅Ｆ）にわたって接着され又は溶着されており、
２つの隣接する前記波形（１０）の前記脚区域（１６）は、１ｍｍから２０ｍｍの相互間隔（Ａ）で固定されており、
前記波形（１０）の高さ（Ｈ）は、無荷重状態において１ｍｍから２０ｍｍであり、
前記波形（１０）は、前記吸収体（２）の区域の横方向の両側縁部及び中心の領域のみに形成されていることを特徴とする衛生製品。
【発明の詳細な説明】
本発明は、請求項１の前文に記載の特徴を有する衛生ナプキン、おむつ、失禁製品又は類似物など、身体からの流体を吸収するための吸収衛生製品に関するものである。
この型の衛生製品の種々の変形が公知である。これらの製品はすべて後部の不透液性カバー層と、頂部の透液性カバー層とを備え、これらの２層の間に吸収体が挿入されている。
後部のカバー層は通常薄いポリエチレン膜から成る。頂部の透液性カバー層は多くの場合、不織布材料から成るが、パーフォレーション膜を使用することもできる。
原則として吸収体はセルローズ繊維又はいわゆるエアレイド材料から成る。
吸収体の基本的吸収能力のほか、接触に際しての柔らかさ、身体からの流体に対する吸収時間、衛生製品全体の分布及び再湿潤特性など、身体対向カバー層の技術的特徴が本質的である。身体対向カバー層として一般に使用される不織布カバーは前記の特徴の大部分に関して有効である。
前述のパーフォレーション膜はその吸収能力及び例えば月経液の導入後の視覚印象に関して改良されているが、蒸散作用(perspiration)を生じるパーフォレーション膜のプラスチック特性が問題となる。
身体対向層の吸収時間、身体からの流体の分布及び再湿潤に関する前述の特性は衛生ナプキン製品の漏れ安全性に関して大きな影響を与える。先行技術においては、これらの点に良好な影響を与える種々の手段が公知である。例えば、吸収時間と再湿潤特性とを改良するために身体対向カバー層の下に流体搬送層が挿入された。また身体からの流体の横方向漏れに対する安全性を増大する前記の衛生製品の長手方向液体分布に関する改良が衛生ナプキン表面上の長手方向プレス線によって得られた。
衛生製品の漏れ安全性に関する実質的な寄与がいわゆるカフス(cuffs)によって得られた。これらのカフスは吸収体の両側の横縁にそって配置された液体障壁を成し、この障壁は弾性材料によって直立状態に保持され身体からの流体の横方向漏れを防止する。これらのカフスは漏れ安全性を大幅に改善するが、これは衛生ナプキン、おむつ、失禁製品などの製造を著しく複雑にする。
前述の問題点を改良するため、本発明の目的は、表面の柔らかな自然な感触を保持すると共に、改良された着用快適性、身体からの流体の長手方向分布及び再湿潤特性を有し、また漏れ安全性を増大することができるように、公知の型の衛生製品を改良するにある。
この目的は請求項１に記載の特徴部分の特徴によって達成される。正面カバー層を請求項１のように波形とすることにより、「プリーツ」と呼ぶのが最も適当な面が得られる。
これらの波形は、長手方向液体分布の改良のために衛生製品表面に長手方向チャンネルを形成すると同時に、液体の横方向拡散に対する障壁を成す。これは衛生製品の漏れ安全性を著しく改良する。
さらにこれらの波形はカバー層表面の大部分において、波形それ自体と下方の吸収体との間に一定のスペースを備え、このスペースは吸収体の中への身体からの流体の吸収作用と再湿潤特性とを改良する。例えば月経液の導入後に、隆起した波形が月経液を浸漬された吸収体と接触しないので、衛生ナプキンの見た感じも良くなる。また波形の可撓性が衛生ナプキンの身体面の柔らかさに影響して、着用快適性を増進しまた自然の快適性と自然の触感とを与える。
波形の固着法の故にこれらの波形は安定であって、圧縮状態の貯蔵後にもまた長期間の着用後にもその良好な作用が失われない。
また、請求項１によれば、波形の脚区域は吸収体上に直接に接着又は溶着され、あるいはカバー層と吸収体との間に挿入された支持層上に固着される。この支持層は、波形の液体転送及び再湿潤特性に関する機能特徴をさらに改良するのに役立つ。
また、２つの隣接する波形（１０）の脚区域（１６）は、１ｍｍから２０ｍｍの相互間隔（Ａ）で固定されている。
また、波形（１０）の高さ（Ｈ）は、無荷重状態において１ｍｍから２０ｍｍである。
さらに、波形（１０）は、吸収体（２）の区域の横方向の両側縁部及び中心の領域のみに形成されている。
以下、本発明を図面に示す実施例について詳細に説明するが本発明はこれに限定されない。
付図において、
第１図は本発明の参考例による衛生ナプキンの部分的斜視図、
第２図は第１図の衛生ナプキンの断面図及びその部分的拡大図、
第３図は本発明の参考例による衛生ナプキンの第２実施態様の断面図、
第４図は本発明の参考例による衛生ナプキンの第３実施態様の断面図、また
第５図は本発明による衛生ナプキンの第４実施態様の斜視図である。
付図に図示のように、それぞれの衛生ナプキンの相異なる実施態様はすべて主要部分において同型のベース構造を有する。衛生ナプキンの後側面３は不透液性カバー層、すなわち下着保護膜１を備え、この保護膜１は衛生ナプキンの後側面３において、すなわち着用時に身体を避ける衛生ナプキン側面において、セルローズ繊維パッドから成る吸収パッド２の下に配置される。さらに下着保護膜１の長手方向縁４が吸収パッド２の横縁５を覆う。
例えば不織布材料から成る支持層７が衛生ナプキンの正面区域６上に配置される。この支持層７の長手方向縁８も吸収パッド２の横縁５の上に配置されて、下着保護膜１の長手方向縁４の上に重なる。この重なり合い区域においてこれらの縁部分が通常のように相互に接着される。
支持層７の上に、透液性カバー層９が配置され、このカバー層９が後述のように波形１０を有する。第１図、第２図及び第４図に図示の衛生ナプキンの実施態様はいわゆる「完全包装衛生ナプキン」であって、例えばプロピレンカードウエブから成り吸収パッド２と支持層７を包囲するカバー層９を備える。カバー層９は衛生ナプキン後側面３上に折り畳まれ、後側面３の中心において接着剤によって接着されている。
第３図と第５図の実施態様は側面ウィング１２を備え、この側面ウィングは重ね合されたフラップ１３、１４から成り、上フラップ１３は衛生ナプキンの前側においてカバー層９の横縁に接合され、下フラップ１４は衛生ナプキンの後側においてカバー層１５に接合されている。カバー層１５は第３図の場合のように不織布材料から成り、別個の下着保護膜１を備えることができる。又はカバー層１５が透液性材料、例えばポリエチレン膜から成り、下着保護膜の機能を引き受けて、下着保護膜１を省略することができる。
次に図示の衛生ナプキン中に使用される波形の種々の形状についてさらに詳細に説明する。
波形１０は、衛生ナプキン製造機の中において、その脚区域１６が衛生ナプキンの横方向に１ｍｍから２０ｍｍの間隔をもって支持層７上に配置されるように適当な波形形成装置によって形成される。３ｍｍから５ｍｍの脚区域間隔が最も有効であることが発見された。脚区域１６は支持層７に対して、長手方向接着剤ストリップ１７、例えばスプレー接着剤によって接着される。各隣接脚区域１６の間において、波形１０は１ｍｍから２０ｍｍの範囲内の高さＨをもって直立する。この高さの最も有効な値は３ｍｍから５ｍｍの範囲内である。接着剤ストリップ１７の幅によって決定される脚部幅Ｆは波形間隔Ａと高さＨとに対応して０．２ｍｍから１０ｍｍの範囲内とすることができるが、最大脚幅Ｆは間隔Ａの半分であることを考慮しなければならない。３ｍｍから５ｍｍの範囲内の間隔Ａと高さＨの場合、０．５ｍｍから１ｍｍの脚部幅が適当であることが発見された。
第１図乃至第３図の実施態様においては、吸収パッドの幅全体にそって８波形が均等間隔で備えられ、波形間隔Ａは約６ｍｍである。
第４図に図示の実施態様においては、両側の２本のストリップ１８の中にそれぞれ２つの波形１０が備えられ、これらの２波形１０は衛生ナプキンの長手方向に延在しまた約６ｍｍの間隔Ａと高さＨとを有する。衛生ナプキンの両側ストリップ１８の間のストリップの中央部１９は透液性カバー９から成り、このカバー９が支持層７の上側面に均一に配置され、この支持層７に対して中心接着剤ストリップ１７’によって接着されている。また小量の透液性接着剤を使用して表面全体を接着することができる。
第５図に図示の衛生ナプキンの実施態様は、両側の接着剤ストリップ１８上の波形１０のほか、中心面Ｌに対して対称的な３波形１０から成る波形構造を備え、この中心波形１０と両側波形１０との間に、波形を有しないストリップ部分２０が残存する。
第２図乃至第４図の断面から明かなように、波形１０の頂部、中間凹部２１、及び接着された脚区域１６の間において波形１０の下方にある管部２２が衛生ナプキン中に導入された身体からの流体の長手方向分布のためのチャンネルを成す。
最後に、本発明の衛生ナプキンの各部品は、このような衛生ナプキンの製造のための通常の基準に従って市販されている適当材料とすることができる。例えば、衛生ナプキンの吸収面が相当多量に残存する程度に接着剤ストリップ１７が液体の進入を制限するように、これらの接着剤ストリップ１７を支持層７の上に接着することが望ましい。スプレー接着剤又はメルトブローン接着剤の細い線を使用することができるが、他の可能性はレーザ、超音波又は熱による溶着又は密着である。
【図１】
0003998707.tif 000002
【図５】
0003998707.tif 000003
【図２】
0003998707.tif 000004
【図３】
0003998707.tif 000005
【図４】
0003998707.tif 000006